(57)【要約】【課題】給湯装置の設置は電気工事業者や施工業者等の作業者が給湯装置の運転前に必要不可欠な各種設定や空気抜き、試運転の実施を忘れた場合、使用者は使用後しばらくして給湯装置の運転時間の遅さや加熱効率の悪さ、貯湯タンク内の湯切れといった被害を蒙る。【解決手段】制御部２０１は、電源起動時において記憶部２０２から給湯装置の各設定確認項目のうち、パネル部１０２内の設定選択画面５０１内に未入力の設定確認項目を表示させるようにして、作業者に確認、入力の注意喚起を促す。そして、すべての設定確認項目の入力が終了するまで、給湯装置の沸き上げ運転の要求を受け付けないようにする。【選択図】図４
2006336921.tif 000002
【特許請求の範囲】
【請求項１】
給湯装置の設定確認項目を入力するための設定選択画面を表示するパネル部と、前記設定選択画面中の設定確認項目を入力する操作部と、前記給湯装置の電源初入時において前記パネル部に前記設定選択画面を優先的に表示する制御手段とを備える給湯装置用リモコン。
【請求項２】
設定確認項目に、給湯装置の管内の空気を抜く制御の実行を含む請求項１記載の給湯装置用リモコン。
【請求項３】
制御手段は、設定選択画面が表示されている間は、給湯装置の沸き上げ運転要求を受け入れないようにする請求項１または２記載の給湯装置用リモコン。
【請求項４】
操作部による設定確認項目の入力状況を記憶する記憶手段を備え、制御手段は、電源起動時において、前記記憶手段に記憶されている運転設定内容のうち未入力の設定確認項目を含む設定選択画面をパネル部に表示する請求項１から３のいずれか１項に記載の給湯装置用リモコン。
【発明の詳細な説明】
【技術分野】
【０００１】
本発明は、給湯装置の運転に関する設定を行う給湯装置用リモコンに関するものである。
【背景技術】
【０００２】
従来、この種の給湯装置用リモコンは、コンテンツ画面などを表示する表示手段と、操作を行うための入力手段と、入力手段からの情報、設定情報、表示情報などを演算処理する制御手段と、ふろの湯温や湯量やふろの自動予約に関する設定を行う設定値変更手段と、給湯機の運転のＯＮ／ＯＦＦを行う運転切替え手段を有していた（例えば、特許文献１参照）。
【特許文献１】特開２００５−１２１３１４号公報
【発明の開示】
【発明が解決しようとする課題】
【０００３】
ところで、給湯装置の設置時には給湯装置が運転を行うために必要不可欠な各種設定を記憶させておく必要がある。また、設置後すぐに給湯装置の運転を行うと配管内に溜まっている空気層のために、運転時間が長引き、加熱効率が著しく悪化するなどの弊害が生じていた。そのため、運転前には必ず配管内の空気抜きを行い、その上で沸き上げ試運転を行うことにより、給湯装置の運転性能を確認しなければならない。
【０００４】
通常、給湯装置の設置は電気工事業者や施工業者等の作業者が行っているが、中には複数の作業者が入れ替わり設置を担当する場合もあり、上記給湯装置の運転前に必要不可欠な各種設定や空気抜き、試運転の実施を忘れがちとなる。
【０００５】
その結果、使用者は使用後しばらくして給湯装置の運転時間の遅さや加熱効率の悪さ、貯湯タンク内の湯切れといった被害を蒙ることとなる。
【課題を解決するための手段】
【０００６】
前記従来の課題を解決するために、本発明の給湯装置用リモコンは、電源初入時においてパネル部に設定選択画面を優先的に表示することにより、給湯装置の施工時や再設置時に行わなければ故障の原因となってしまうような必要不可欠な設定や作業（例えば、時刻設定や電気料金体系の登録、管内の空気抜き）の実施を確実に作業者に注意喚起し、給湯装置の故障や誤作動を事前に抑制できる。また、必要不可欠な設定や作業の設定が終了しない限り、沸き上げ運転が行えないようになっている。
【発明の効果】
【０００７】
本発明の給湯装置用リモコンは、給湯装置の施工・設置時に施工作業者等の作業者に対して正確な作業を確実に行えるように注意喚起しを促し、給湯装置の故障や誤作動を事前に抑制できるものである。
【発明を実施するための最良の形態】
【０００８】
第１の発明は、給湯装置の設定確認項目を入力するための設定選択画面を表示するパネル部と、設定選択画面中の設定確認項目を入力する操作部と、電源初入時においてパネル部に前記設定選択画面を優先的に表示する制御手段とを備える給湯装置用リモコンである。
【０００９】
これによって、給湯装置の施工時や再設置時に行わなければ故障の原因となってしまうような必要不可欠な作業（例えば、管内の空気抜き）を確実に作業者に注意喚起し、給湯装置の故障を抑制できる。
【００１０】
第２の発明は、特に、第１の発明において、設定確認項目には給湯装置の管内の空気を抜く制御（空気抜き）の実行を含むものとする。空気抜き作業は、特に施工時に忘れられる作業の一つである。また、空気抜き作業を行っていない給湯装置は、施工時しばらく時間が経つと沸き上げ速度が遅くなるなど、外見からその影響が確認され難く、原因が特定されにくい故障の一つとなる。そこで、設定確認項目に空気抜き作業の実行を挙げておけば、設置時に確実に空気抜き作業が行われ、給湯装置の故障を抑制できる。
【００１１】
第３の発明は、特に、第１または第２の発明において、制御手段は、設定選択画面が表示されている間、給湯装置の沸き上げ運転を行えないようにするものである。
【００１２】
第４の発明は、特に、第１から第３のいずれか１つの発明において、操作部による設定確認項目の入力状況を記憶する記憶手段を備え、制御手段は、電源起動時において、記憶手段に記憶されている運転設定内容のうち未入力の設定確認項目を含む設定選択画面をパネル部に表示するものである。
【００１３】
原則的には電源初入時にすべての運転設定内容を入力するが、作業時間の短縮や作業者の引継などの理由により、作業者が任意に設定を後回しにしたり、未入力とすることができる。しかし、電源初入時に未入力としても、その後作業者が入力することを忘れる可能性もある。そこで、電源起動時の都度、未入力の設定確認項目を表示するようにすれば、作業者は忘れることなく入力を確実に行うことができるようになる。
【００１４】
上に説明したように、例えば空気抜き作業を実行せずに給湯装置が沸き上げ運転を行うと故障の原因となる。そこで、設定確認項目（例えば空気抜き作業）の入力が終わるまでは沸き上げ運転を行えないようにすることにより、作業者は確実に空気抜き作業を行った後に沸き上げ運転を行い、後の故障の発生を抑制できる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における給湯装置用リモコンの外観図を示すものであり、図２は給湯装置用リモコンの構成図を示すものである。
【００１７】
図１に示すように、給湯装置用リモコン１０１は、沸き上げ温度設定値や時刻、浴槽の湯量などを表示するパネル部１０２と、時刻設定やリモコン自体の設定を行う時に設定画面を呼び出すメニュースイッチ１０３と、パネル部１０２に表示される選択肢の中から特定の設定確認項目を選択する選択スイッチ１０４と、選択スイッチ１０４により選択された設定確認項目を確定する確定スイッチ１０５とから構成されている。
【００１８】
また、図２に示すように、給湯装置用リモコン１０１は、パネル部１０２の表示内容を制御する制御部２０１と、パネル部１０２に表示を行うための情報や給湯装置の設定値や時刻等を記憶する記憶部２０２と、給湯装置の設定値を入力する入力部２０３を備えている。なお、入力部２０３は選択スイッチ１０４と確定スイッチ１０５とを含むものとする。
【００１９】
記憶部２０２に記憶されている給湯装置の設定値は、例えば図３のように図示できる。図３によれば、設定確認項目３０１は「設置時において貯湯タンクは満水かどうか」の確認事項であり、その設定確認項目は入力済みであることが示されている。また、設定確認項目３０２は「空気抜きを実行するかどうか」の確認事項であり、その設定確認項目は未入力であることが示されている。また、設定確認項目３０３は、「電力料金体系の設定」の設定項目であり、その設定確認項目は入力済みであることが示されている。また、設定確認事項３０４は、「沸き上げ試運転を実行するかどうか」の確認事項であり、その設定確認項目は入力済みであることが示されている。
【００２０】
以上のように構成された給湯装置用リモコン１０１について、以下その動作、作用を説明する。
【００２１】
まず、作業者が給湯装置を設置して初めて電源を入れた状態である電源初入時において、給湯装置用リモコン１０１にも電源が供給される。このとき、制御部２０１はまず記憶部２０２の内容を確認する。電源初入時であれば、記憶部２０２に記憶されている給湯装置の設定確認の値はすべて未入力となっている。そこで、電源初入時において、制御部２０１は例えば図４に示すように、未入力である設定確認項目を設定選択画面５０１中に含むようにしてパネル部１０２に表示していく。
【００２２】
図４には、設定選択画面５０１中に設定確認項目３０２の「空気抜きを実行するかどうか」や設定確認項目３０３の「電力料金体系の設定」、設定確認項目３０４の「沸き上げ試運転を実行するかどうか」というメッセージを表示して作業者は各メッセージに対して確認、入力を行う。具体的に入力の流れを説明すると、例えば、作業者は設定確認項目３０２の「空気抜きを実行するかどうか」のメッセージに対して空気抜きを実行することを希望する場合は、確定スイッチ１０５を押す。すると、給湯装置のポンプが作動して、管内の空気が抜かれる。空気抜き作業が完了すると、記憶部２０２に記憶されている他の設定確認項目を表示していく。その後、設定確認項目３０４の「沸き上げ試運転を実行するかどうか」のメッセージが表示される。なお、この設定確認項目は、必ず「空気抜きを実行するかどうか」の設定確認項目よりも後に表示されるようにしなければ、空気抜きを行う前に沸き上げ運転が行われてしまう。そして、すべての設定確認項目に対して表示され、入力が終了するまで続けられる。
【００２３】
入力が終了してパネル部１０２から設定選択画面５０１が表示されなくなると、その時点から作業者（あるいは使用者）は沸き上げ運転を行うことができる。つまり、設定選択画面５０１が表示されて作業者が設定確認項目を確認、入力している間は、沸き上げ運転の要求を受け付けないようにしている。従って、作業者（あるいは使用者）が空気抜きを行う前に沸き上げ運転を行うことがなく、給湯装置の故障や誤作動を抑制できる。
【００２４】
このように設置時に作業者に対して設定確認項目の設定内容をパネル部１０２に表示することにより注意喚起を促し、忘れることなく設定、必要作業を行うことができるので、給湯装置の故障を事前に抑制できる。
【００２５】
（実施の形態２）
第１の実施の形態では、電源初入時からすべての設定確認項目を入力して終了した後に、沸き上げ運転を行えるようにしたものである。ところで、設定中に停電等が起こり電源に供給されない状態を想定すると、常にすべての設定確認項目が入力されるとは限らない。また、空気抜き作業は実施時間に１０〜３０分の時間を要し、やむを得ず作業時間が十分確保できない場合は未入力として設定をスキップし、他の設定確認項目を先に入力して入力作業を終了することができる。例えば、それは入力飛ばしスイッチを給湯装置用リモコン１０１に設ける等の設計により実施可能となる。あるいは、スイッチを設けることなく、確定スイッチ１０５を数秒間連続して押し続ける等の特殊操作により実施可能としてもよい。
【００２６】
そこで、第２の実施の形態では上記課題を考慮し、その後作業者が未入力事項について入力することを忘れる可能性を防ぐために、給湯装置用リモコン１０１の次回通電起動時に、制御部２０１は未入力である設定確認項目のみを設定選択画面５０１中に含むようにしてパネル部１０２に表示する。
【００２７】
このように、未入力事項については電源起動時に再び表示することにより、作業者は忘れることなく入力を確実に行うことができるようになる。
【００２８】
特に、重要な作業である空気抜き作業や沸き上げ試運転が未実施の場合に、再度実施の催促を行い、給湯装置の故障を事前に抑制できる。
【産業上の利用可能性】
【００２９】
以上のように、本発明にかかる給湯装置用リモコンは、ヒートポンプ給湯装置以外にも電気給湯装置、ガス給湯装置のリモコンとして適用可能である。
【図面の簡単な説明】
【００３０】
【図１】本発明の実施の形態の給湯装置用リモコンの概観図
【図２】同実施の形態の給湯装置用リモコンの構成図
【図３】同実施の形態の記憶部の記憶内容一覧図
【図４】同実施の形態のパネル部表示画面を示す図
【符号の説明】
【００３１】
１０１  給湯装置用リモコン
１０２  パネル部
２０１  制御部
２０２  記憶部
２０３  入力部
５０１  設定選択画面
【図２】
2006336921.tif 000003
【図３】
2006336921.tif 000004
【図１】
2006336921.tif 000005
【図４】
2006336921.tif 000006